(57)【要約】      （修正有）【課題】操作が容易で長く使用しても表示文字が傷つかない在席状況表示器を提供する。【解決手段】ガイド板２と第１、第２のスライド板３，４とカバー５とで構成する。ガイド板は長方形板の両側長辺に垂直壁を形成し、対向する壁側面に各２本の凹状溝を形成する。カバーはガイド板の上面、周囲４面を覆い下面開放形状とし、片側短辺壁に近接した長方形開口窓を形成する。第１、第２のスライド板は対向する凹状溝に両縁が嵌まり、ガイド板の長手方向の１／２乃至２／３の長さの長方形とし、第１のスライド板はガイド板内面に近い側、第２のスライド板は遠い側の凹状溝に両側を嵌めてスライド移動させる。第１のスライド板の長方形開口窓側辺縁には長方形開口窓から突出する壁状突起を形成する。第２のスライド板の長方形開口窓とは反対側辺部には柱状突起を形成し、カバーには第２のスライド板をスライドさせたときに柱状突起を通すスリット状開口窓を形成する。【選択図】図１
2018128600.tif 000002
【特許請求の範囲】
【請求項１】
在席状況表示器であって、該表示器はガイド板と、第１のスライド板と、第２のスライド板と、カバーとから構成され、
前記ガイド板は平面視長方形板の両側長辺に沿って垂直な壁を形成した平たい凹状板で、両側の垂直な壁の内側面にはガイド板内表面より僅か上方位置に前記第１、第２のスライド板をスライド移動させるための各２本の平行な凹状溝が長辺全域に形成されており、
前記カバーは前記ガイド板の上面、周囲４面を丁度覆う下面側開放の長方形カバーで、その片側短辺寄りには前記ガイド板の長手寸法の１／３の長さで、幅はガイド板の２つの垂直壁間隔より僅かに狭い長方形開口窓がその窓の一辺を長方形カバーの前記片側短辺の壁内側に一致させて形成してあり、
前記第１、第２のスライド板は共に前記ガイド板の両側の垂直な壁に形成された対向する凹状溝に両側長辺縁部が丁度嵌まる幅で、長さは前記ガイド板の長手方向寸法の１／２乃至２／３の長方形に形成されており、第１のスライド板はガイド板内表面に近い側の、第２のスライド板は遠い側の凹状溝に両縁部が嵌まった状態で凹状溝にガイドされてスライド移動するように取り付けてあり、
前記第１のスライド板の前記長方形開口窓側となる辺縁部には長方形開口窓を通して突出する高さの壁状突起が形成され、
前記第２のスライド板の前記長方形開口窓側とは反対側辺近くには小さな柱状突起が形成され、前記カバーには前記第２のスライド板の前記長方形開口窓側辺縁が該長方形開口窓の長手方向両辺間を移動したときに該柱状突起が先端をカバー表面から突出させた状態で通過移動できるスリット状開口窓が形成されていることを特徴とする在席状況表示器。
【請求項２】
請求項１に記載の在席状況表示器において、前記第２のスライド板の柱状突起と前記カバーのスリット状開口窓は無くし、代わりに第２のスライド板には前記長方形開口窓側となる辺縁に長方形開口窓を通して突出する高さの壁状突起を形成し、第１、第２のスライド板の壁状突起は共にガイド板の一方の垂直な壁に寄せて形成し、第２のスライド板の壁状突起の壁長さは第１のスライド板の壁状突起の壁長さより長く形成してあることを特徴とする在席状況表示器。
【発明の詳細な説明】
【技術分野】
【０００１】
本発明は、会社や事務所で執務する役員、管理者、事務員等の在席有無、外出先等を表示する在席状況表示器に関する。
【背景技術】
【０００２】
会社等では高位の役員には個室が与えられている場合が多く、仕事の効率化のため一般事務員がそうした役員の在席状況、行先を知りたい場合が多い。また、一般管理者、事務員についても、その在席状況、外出先を他の事務員が知りたい場合が多くある。こうしたことから役員、管理者、一般事務員等の在席状況、外出先等を表示する在席状況表示装置を設置している会社も多い。
【０００３】
このした在席状況表示装置としては、多数の管理者・事務員の状況を一括して表示する電子式表示板を設置し、通信回線を利用して表示変更を行なう装置が多数提案されている（例えば、特許文献１、２、３、４）。しかし、これらの装置は大仕掛けで設置に費用がかかるため小企業では容易には採用できない。
【０００４】
より簡便な在席状況表示器として、例えば、図１３に示すような在席状況表示器が市販されている。この表示器は底面の在席表示板上に２枚の表示板が左右移動可能に取り付けてある。各板には在席、外出、会議中等の表示がされており、各板右端の小さな取っ手で移動させて目的とする項目を表示させる。しかし、この表示器の場合、選択して左右移動させるための取っ手が小さく、２枚とも同じ形状になっているため操作しにくい。また、２枚の表示板が重なっていて、板裏面が下側文字表面に接触した状態で移動する。このため移動の際に下側文字が上側板裏面に擦られ、長く使用していると文字が擦れて傷つく問題がある。
【先行技術文献】
【特許文献】
【０００５】
【特許文献１】特開２０１４−７２６６５号公報
【特許文献２】特開平１１−１２７２６０号公報
【特許文献３】特開平０６−４３７９０号公報
【特許文献４】特開平０６−８３２７１号公報
【発明の概要】
【発明が解決しようとする課題】
【０００６】
本発明は従来技術のこうした問題点を解決するためになされたもので、その課題は、簡単な構造で安価に製作でき、操作が容易で長く使用しても表示文字に傷のつくことのない在席状況表示器を提供することにある。
【課題を解決するための手段】
【０００７】
前記課題を解決するための請求項１に記載の発明は、在席状況表示器であって、該表示器はガイド板と、第１のスライド板と、第２のスライド板と、カバーとから構成され、ガイド板は平面視長方形板の両側長辺に沿って垂直な壁を形成した平たい凹状板で、両側の垂直な壁の内側面にはガイド板内表面より僅か上方位置に前記第１、第２のスライド板をスライド移動させるための各２本の平行な凹状溝が長辺全域に形成されており、カバーはガイド板の上面、周囲４面を丁度覆う下面側開放の長方形カバーで、その片側短辺寄りにはガイド板の長手寸法の１／３の長さで、幅はガイド板の２つの垂直壁間隔より僅かに狭い長方形開口窓がその窓の一辺を長方形カバーの前記片側短辺の壁内側に一致させて形成してあり、第１、第２のスライド板は共にガイド板の両側の垂直な壁に形成された対向する凹状溝に両側長辺縁部が丁度嵌まる幅で、長さはガイド板の長手方向寸法の１／２乃至２／３の長方形に形成されており、第１のスライド板はガイド板内表面に近い側の、第２のスライド板は遠い側の凹状溝に両縁部が嵌まった状態で凹状溝にガイドされてスライド移動するように取り付けてあり、第１のスライド板の長方形開口窓側となる辺縁部には長方形開口窓を通して突出する高さの壁状突起が形成され、第２のスライド板の長方形開口窓側とは反対側辺近くには小さな柱状突起が形成され、カバーには第２のスライド板の長方形開口窓側辺縁が該長方形開口窓の長手方向両辺間を移動したときに該柱状突起が先端をカバー表面から突出させた状態で通過移動できるスリット状開口窓が形成されていることを特徴とする在席状況表示器である。
【０００８】
このような構成によれば在席状況表示として３種類の表示を任意に選択して表示させることができる。表示の選択は第１のスライド板の壁状突起、第２のスライド板の柱状突起を使用して容易に行なうことかできる。第１のスライド板の壁状突起、第２のスライド板の柱状突起は取り付け位置も、形状も異なるため操作が容易である。また、ガイド板の内表面と第１のスライド板の裏面との間、第１のスライド板の表面と第２のスライド板の裏面との間には僅かな隙間が生ずるように構成されているため、ガイド板の表面文字、第１のスライド板の表面文字が擦られて変形することが防止される利点を有する。
【０００９】
また、請求項２に記載の発明は、請求項１に記載の在席状況表示器において、第２のスライド板の柱状突起とカバーのスリット状開口窓は無くし、代わりに第２のスライド板には長方形開口窓側となる辺縁に長方形開口窓を通して突出する高さの壁状突起を形成し、第１、第２のスライド板の壁状突起は共にガイド板の一方の垂直な壁に寄せて形成し、第２のスライド板の壁状突起の壁長さは第１のスライド板の壁状突起の壁長さより長く形成してあることを特徴とする在席状況表示器である。
【００１０】
このような構成の場合も３種類の在席状況表示を簡単な操作で選択して表出させることができる。
【図面の簡単な説明】
【００１１】
【図１】第１の実施形態に係る在席状況表示器１の外観斜視図である。
【図２】在席状況表示器１の分解斜視図である。
【図３】ガイド板２の平面図と左側面図である。
【図４】カバー５の平面図と断面図である。
【図５】第１のスライド板３の平面図と左側面図である。
【図６】第２のスライド板４の平面図と左側面図である。
【図７】ガイド板２の表示文字を表出された状態である。
【図８】第１のスライド板３の表示文字を表出された状態である。
【図９】第２のスライド板４の表示文字を表出された状態である。
【図１０】第２の実施形態に係る在席状況表示器１０の外観斜視図である。
【図１１】第２の実施形態に係る第１のスライド板３０の平面図と左側面図である。
【図１２】第２の実施形態に係る第２のスライド板４０の平面図と左側面図である。
【図１３】市販の在席状況表示器の例である。
【発明を実施するための形態】
【００１２】
以下、本発明に係る在席状況表示器の構成例を実施形態に分けて図面を参照して説明する。
（第１の実施形態）
図１は第１の実施形態に係る在席状況表示器１の外観斜視図、図２はその分解斜視図である。在席状況表示器はガイド板２、第１のスライド板３、第２のスライド板４、カバー５とで構成されている。何れもプラスチックで形成されている。
【００１３】
図３はガイド板２の平面図と左側面図であり、ガイド板２は平面視長方形の板の両側長辺縁部に辺に沿って垂直な壁２ａ、２ｂを形成したもので平たい凹状をなしている。以後、図３において長辺が右側に伸びる方向を在席状況表示器１及びガイド板２の右側、反対方向を左側、それらと直角方向を上側、下側と呼ぶことにする。図３に示すようにガイド板２の上側長辺、下側長辺に設けられた垂直な壁２ａ、２ｂの対向する壁内側側面には各２本の平行な凹状溝２ｃ、２ｄが長辺に平行に、長辺全長にわたって形成されている。２本の凹状溝２ｃ、２ｄは同一断面形状であり、ガイド板２の内表面に近い側の凹状溝２ｃ１、２ｄ１は内表面から僅かに離れた位置に形成されている。この凹状溝２ｃ１、２ｄ１及び内表面から遠い側の凹状溝２ｃ２、２ｄ２は、次に説明するように第１、第２のスライド板３、４の上側、下側の辺縁部を嵌め込んだ状態で、それらスライド板３、４をガイドしてスライド移動させるためのものである。
【００１４】
カバー５はガイド板２の上面と周囲４面を丁度覆い、下面側が開放された長方形箱形カバーである。図４の（１）はカバー５の平面図、図４の（２）は平面図のＡ−Ａ線に沿った断面図、図４の（３）はＢ−Ｂ線に沿った断面図、図４の（４）はＣ−Ｃ線に沿った断面図である。カバー５の表面の右側短辺寄りには長さがガイド板２の長手寸法の１／３で、上下幅がガイド板の上側、下側の２つの垂直壁２ａ、２ｂの間隔より僅かに狭い長方形開口窓５ａが、その窓の一辺をカバー５の右側短辺の壁内側に一致させて形成してある。
【００１５】
図５は第１のスライド板３の平面図と左側面図、図６は第２のスライド板４の平面図と左側面図である。第１、第２のスライド板３、４は、共にガイド板２の両側２つの垂直な壁２ａ、２ｂに形成された対向する凹状溝２ｃ、２ｄに両側縁部が丁度嵌まる幅で、長さはガイド板２の長手方向寸法の１／２乃至２／３の長方形に形成されている。そして第１のスライド板３はガイド板２の内表面に近い側の凹状溝２ｃ１、２ｄ１に、第２のスライド板３は遠い側の凹状溝２ｃ２、２ｄ２に両側縁部が嵌まった状態にされ、それぞれの凹状溝にガイドされてスライド移動する。
【００１６】
そのスライド移動をさせるために第１、第２のスライド板３、４には操作用の取っ手が取り付けられている。図５に示すように第１のスライド板３の右側短辺縁部には取っ手となる垂直な壁状突起３ａが形成してある。壁状突起３ａの高さは、第１のスライド板３をガイド板２の凹状溝２ｃ１、２ｄ１に取り付けた状態で突起先端部がカバー５の長方形開口窓５ａを通ってカバー５の表面上方にまで突出する高さにしてある。
【００１７】
図６に示すように第２のスライド板４の平面左下隅の表面には操作用の取っ手として機能する柱状突起４ａが形成されている。柱状突起４ａの高さは、第２のスライド板４をガイド板２の凹状溝２ｃ２、２ｄ２に取り付けた状態で突起先端部がカバー５の表面上方にまで突出する高さにしてある。図４に示すようにカバー５には、この柱状突起４ａを表面側に突出させるためのスリット状開口窓５ｂが形成されている。スリット状開口窓５ｂから上方に突出している柱状突起４ａを指で左右移動させて第２のスライド板４を左右にスライド移動させる。右方向に移動させた場合は、第２のスライド板４の右端がカバー５の側壁内側に当接したときに停止する。左方向に移動させた場合は、第２のスライド板４の左端がカバー５の側壁内側に当接したときに停止する。スリット状開口窓５ｂの長さは、柱状突起４ａのそのような移動を可能とする長さに形成されている。
【００１８】
以上のように構成した在席状況表示器１は次のように操作して使用する。図７は第１のスライド板３の壁状突起３ａを操作して、壁状突起３ａをカバー５の長方形開口窓５ａの左端に当接させた状態である。この状態では、第２のスライド板４は壁状突起３ａに押されて左に移動し、板全体がカバー５の裏側に隠れた状態になる。長方形開口窓５ａにはガイド板２の右側部分が表出する。その部分には、例えば図７のように在席状況表示として「在室」の文字を書いておく。その状態から、今度は第１のスライド板３の壁状突起３ａを操作し、図８に示すように壁状突起３ａが長方形開口窓５ａの右端にあるカバー５の右端側壁に当接した状態まで移動させる。第２のスライド板４はカバー５の裏側に隠れたままであり、第１のスライド板３の右側部分が長方形開口窓５ａに表出する。その部分には、例えば「外出」の文字を在席状況表示として書いておく。その状態から、今度は第２のスライド板４の柱状突起４ａを操作し、図９に示すように第２のスライド板４の右端を長方形開口窓５ａの右端部分までスライド移動させる。第１のスライド板３はその壁状突起３ａが第２のスライド板４の右端で押されてカバー５の右端側壁に当接し、第２のスライド板４の裏側に隠れた状態となる。長方形開口窓５ａには第２のスライド板４の右側部分が表出する。その部分には、例えば「帰宅」の文字を在席状況表示として書いておく。
【００１９】
このように本実施形態の在席状況表示器１によれば、在席状況表示として３種類の表示を任意に選択して表示させることができる。表示の選択は第１のスライド板３の壁状突起３ａ、第２のスライド板４の柱状突起４ａを操作して容易に行なうことかできる。第１のスライド板３の壁状突起３ａ、第２のスライド板４の柱状突起４ａは取り付け位置も、形状も異なるため操作が容易である。また、ガイド板２の内表面と第１のスライド板３の裏面との間、第１のスライド板３の表面と第２のスライド板４の裏面との間には僅かな隙間が生ずるように構成されている。このためガイド板２の表面文字、第１のスライド板３の表面文字が擦られて変形することが防止される利点を有する。
【００２０】
（第２の実施形態）
図１０は第２の実施形態に係る在席状況表示器１０の外観斜視図である。在席状況表示器１０は、第１の実施形態の在席状況表示器１における第１、第２のスライド板３、４の操作取っ手の構造を変えたものである。図１１は在席状況表示器１０で使用する第１のスライド板３０の平面図と左側面図、図１２は第２のスライド板４０の平面図と左側面図である。
【００２１】
本実施形態の第１のスライド板３０は、図１１に示すように操作用取っ手としての壁状突起３０ｂの形状のみが第１の実施形態の第１のスライド板３とは異なる。壁状突起３０ｂは上下方向幅が第１のスライド板３０の上下方向幅の１／３程度にしてあり、壁状突起３０ｂの高さはカバー５０の長方形開口窓５０ａの表面から突出する高さにしてある。図１２に示す本実施形態の第２のスライド板４０は、第１の実施形態の第２のスライド板４に設けた柱状突起４ａに代えて右辺端縁に垂直な壁状突起４０ｂが設けてある。壁状突起４０ｂの上下方向幅は第２のスライド板４０の上下方向幅の２／３程度にしてあり、高さはカバー５０の長方形開口窓５０ａの表面から突出する高さにしてある。第１の実施形態では存在したの柱状突起４ａを無くしたため、第１の実施形態のカバー５にあったスリット状開口窓５ａは無くしてある。
【００２２】
第１のスライド板３０の壁状突起３０ｂと、第２のスライド板４０の壁状突起４０ｂとは、上下方向幅を違えて形成してある。このため図１０から判るように、第１、第２のスライド板３０、４０の壁状突起３０ｂ、４０ｂ側面が接触状態になった場合でも、壁状突起３０ｂ、４０ｂは完全には重ならない。第２のスライド板４０の壁状突起４０ｂの上下方向幅が第１のスライド板３０の壁状突起３０ｂの上下方向幅より広くしてあるため、第２のスライド板４０の壁状突起４０ｂの上下方向が第１のスライド板３０の壁状突起３０ｂからはみ出すからである。そのため第１、第２のスライド板３０、４０の壁状突起３０ｂ、４０ｂの側面が接触状態でも、第２のスライド板４０の壁状突起４０ｂのはみ出し部分を手で操作して第２のスライド板４０のみを容易にスライド移動させることかできる。
【００２３】
第２のスライド板４０の壁状突起４０ｂをカバー５０の長方形開口窓５０ａの右端部分にまで移動させると、第１のスライド板３０の壁状突起３０ｂも壁状突起４０ｂに押されて長方形開口窓５０ａの右端部分に移動する。そして、長方形開口窓５０ａには第２のスライド板４０の表面文字「帰宅」が表出する。その状態から第２のスライド板４０の壁状突起４０ｂを長方形開口窓５０ａの左端部分にまで移動させると、長方形開口窓５０ａには第１のスライド板３０の表面文字「外出」が表出する。第１のスライド板３０の壁状突起３０ｂを長方形開口窓５０ａの左端部分に移動させると、第１、第２のスライド板３０は共にカバー５０の下側に隠れ、長方形開口窓５０ａにはガイド板２０の表示文字「在宅」が表出する。このように、本実施形態の在席状況表示器１０の場合も３種類の在席状況表示を簡単な操作で選択して表出させることができる。
【符号の説明】
【００２４】
図面中、１は在席状況表示器、２はガイド板、２ａ、２ｂは垂直な壁、２ｃ、２ｄは凹状溝、３は第１のスライド板、３ｂは壁状突起、４は第２のスライド板、４ａは柱状突起、４ｂは壁状突起、５はカバー、５ａは長方形開口窓、５ｂはスリット状開口窓、１０は在席状況表示器を示す。
【図１】
2018128600.tif 000003
【図２】
2018128600.tif 000004
【図３】
2018128600.tif 000005
【図４】
2018128600.tif 000006
【図５】
2018128600.tif 000007
【図６】
2018128600.tif 000008
【図７】
2018128600.tif 000009
【図８】
2018128600.tif 000010
【図９】
2018128600.tif 000011
【図１０】
2018128600.tif 000012
【図１１】
2018128600.tif 000013
【図１２】
2018128600.tif 000014
【図１３】
2018128600.tif 000015